(57)【要約】      （修正有）【課題】人工股関節において大腿骨ヘッドと臼蓋カップとの摩擦を緩和するため、両者の接触面積を低減した臼蓋カップまたはカップライナを提供する。【解決手段】大腿骨ヘッド２と対向するカップ１は、主荷重軸８上に位置する半球中心６の周りの球面である第１部分５と、その一部が第１部分から解放され、かつ該半球から間隔ｄを有する第２部分１０とを含み、上記間隔ｄ（ｍｍ）は、半球中心周りの回転角をθ（°）とするとき、以下の式で表わされる。2007144129.tif 000007ａおよびｂは、第２部分の内側端１３におけるまたはそれに向かう方向の角度および間隔と、リム１１に近接する第２部分の外側端１４におけるまたはそれに向かう方向の角度および間隔を上記式に代入して解くことにより求められる。【選択図】図１
2007144129.tif 000002
【特許請求の範囲】
【請求項１】
主荷重軸上に位置する半球面の中心の周りに実質的に部分球面である第１部分と、少なくともその一部が第１部分に対して解放され、かつ前記解放された部分全体にわたり半球面中心から半径方向の間隔（ｄ）を有する第２部分とを有する、ベアリング内側面を含む、部分球面ベアリングヘッドにおいて使用する人工フレキシブルベアリング要素カップまたはカップベアリングライナであって、
前記間隔（ｄ）は、半球面中心周りの回転角度（θ）がカップのリムに向かって増加するのに伴い内側端から外側端に向かって増加しており、部分球面ベアリングヘッドの外側面の形状を表す線からの第２部分の表面の解放部分の間隔は、間隔が前記主荷重軸上および任意の所定の半径方向間隔（ｄ）におけるベアリング内側面の前記第１部分に接するベアリング面上に位置するとき、以下の式で決定されることを特徴とし、
【数１】
2007144129.tif 000006
式中、
ｄは、間隔がベアリング内側面の前記第１部分上に位置し、その中心が前記半球面中心上に位置するときの、部分球面ベアリングヘッドの外側面の前記形状を表す線と、第２部分の解放部分との間の半径方向間隔（ｍｍ）であり、
θは、半球面の中心周りの角度（°）であり、
ａおよびｂは、第２部分の前記内側端におけるまたはそれに向かう方向の角度（θ１）および間隔（ｄ１）を選択し、それらを前記式に代入し、さらに、リムに近接する第２部分の外側側端におけるまたはそれに向かう方向の角度（θ２）および間隔（ｄ２）を選択し、それらを前記式に代入して、２つの式を合わせて解くことにより求められる値である、人工フレキシブルベアリング要素カップまたはカップベアリングライナ。
【請求項２】
ａおよびｂの値が以下の表、
ａ                ｂ
８．２            １．００１
１．２５          １．００５
０．４３          １．０１
０．３０５        １．０１２
０．１９          １．０１５
０．０９２        １．０２
０．０４６        １．０２５
０．０２４        １．０３
０．０１２５      １．０３５
０．００６８      １．０４
０．０００３５    １．０４５
０．００１９      １．０５
０．０００５４    １．０６
０．０００１５    １．０７
０．０００００４  １．１
から選択されることを特徴とする、請求項１に記載の人工フレキシブルベアリング要素カップまたはカップベアリングライナ。
【請求項３】
前記第２部分が前記主荷重軸から第２部分のリムに近接する端部まで延びていることを特徴とする、請求項１または請求項２に記載の人工フレキシブルベアリング要素カップまたはカップベアリングライナ。
【請求項４】
前記第１部分と前記第２部分の前記解放部分との間にベアリング内側面の移行部分を備えていることを特徴とする、請求項１〜３のいずれか一項に記載の人工フレキシブルベアリング要素カップまたはカップベアリングライナ。
【請求項５】
前記第２部分の端部が前記主荷重軸に達するまで前記第１部分に重なり、前記移行部分を提供することを特徴とする、請求項４に記載の人工フレキシブルベアリング要素カップまたはカップベアリングライナ。
【請求項６】
前記ベアリング内側面が一体形状カップに形成されていることを特徴とする、前記請求項１〜５のいずれか一項に記載の人工フレキシブルベアリング要素カップまたはカップベアリングライナ。
【請求項７】
前記一体形状カップが、金属、合成プラスチック材料、合成材料とファイバの合成物、またはセラミック材料から作製されていることを特徴とする、請求項６に記載の人工フレキシブルベアリング要素カップまたはカップベアリングライナ。
【請求項８】
前記ベアリング内側面が裏材で保持されたベアリングライナ上に形成されていることを特徴とする、前記請求項１〜５のいずれか一項に記載の人工フレキシブルベアリング要素カップまたはカップベアリングライナ。
【請求項９】
前記ライナが金属、合成プラスチック材料、合成材料とファイバの合成物、またはセラミック材料から作製されていることを特徴とする、請求項８に記載の人工フレキシブルベアリング要素カップまたはカップベアリングライナ。
【請求項１０】
前記裏材が金属、合成プラスチック材料、または合成材料とファイバの合成物から作製されていることを特徴とする、請求項８または請求項９に記載の人工フレキシブルベアリング要素カップまたはカップベアリングライナ。
【請求項１１】
前記ベアリングライナが第２ライナ内に保持され、この第２ライナに対して前記ベアリングライナが回転でき、第２ライナが裏材に固定されるかまたは自由に動くように配置され、２重可動性カップを実現することを特徴とする、請求項８または請求項９に記載の人工フレキシブルベアリング要素カップまたはカップベアリングライナ。
【請求項１２】
前記第２ベアリングライナが金属、合成プラスチック材料、合成材料とファイバの合成物、またはセラミック材料から作製されていることを特徴とする、請求項１１に記載の人工フレキシブルベアリング要素カップまたはカップベアリングライナ。
【請求項１３】
前記カップまたはライナの半径方向厚みが、前記解放部分全体にわたって、前記部分球面の部分全体にわたる厚みより薄いことを特徴とする、前記請求項１〜１２のいずれか一項に記載の人工フレキシブルベアリング要素カップまたはカップベアリングライナ。
【請求項１４】
前記カップがＰＥＥＫと炭素繊維の合成物から作製されていることを特徴とする、前記請求項１〜１３のいずれか一項に記載の人工フレキシブルベアリング要素カップまたはカップベアリングライナ。
【請求項１５】
部分球面ベアリングヘッドと組み合わせた、前記請求項１〜１４のいずれか一項に記載の人工フレキシブルベアリング要素カップまたはカップベアリングライナ。
【請求項１６】
金属、合成プラスチック材料、合成材料とファイバの合成物またはセラミック材料、あるいは金属とセラミックの合成物から作製される部分球面ベアリングヘッドと組み合わせた、請求項１５に記載の人工フレキシブルベアリング要素カップまたはカップベアリングライナ。
【請求項１７】
請求項１５または請求項１６に記載の、固定要素を有する剛体であることを特徴とするヘッドと組み合わせた、人工フレキシブルベアリング要素カップまたはカップベアリングライナ。
【請求項１８】
前記固定要素がステム形状であるか、またはそのようなステムに着脱可能に取り付け可能であることを特徴とする、請求項１７に記載の人工フレキシブルベアリング要素カップまたはカップベアリングライナ。
【請求項１９】
前記ヘッドがステムに着脱可能に取り付けられている、請求項１６に記載の人工フレキシブルベアリング要素カップまたはカップベアリングライナ。
【発明の詳細な説明】
【技術分野】
【０００１】
本発明は人工関節に関し、さらに詳細には部分球面大腿骨ベアリングヘッドおよび上記ベアリングヘッドにおいて使用するためのフレキシブルベアリング要素カップまたはカップベリングライナを含む人工関節に関する。
【背景技術】
【０００２】
フレキシブルベアリング要素カップおよびカップベアリングライナは公知であり、これらには、半球面の中心の周りに実質的に部分球面であり、かつその中に極ベアリング面積を有する第１部分と、第１部分に対して解放され、かつ半球面曲線周りの回転角度がカップのリムに向かって増加するに伴い増加する半球面中心から半径方向の間隔を有する第２部分と、を有するベアリング内側面を含む。第２部分は移行部分において第１部分に接線方向である。
【０００３】
このタイプの別の構造がＰＣＴ特許出願ＷＯ  ０２／４３６２６号に示されている。この出願における発明はカップの解放部分の湾曲に関するものであり、およびこの特許において説明される各種パラメータは、伸開線の部分の形態を有する非球面部分の形状を生成することを記載している。この概念は、伸開線を仮想のボビンから巻き戻されたスレッドにより形成されているとして定義され、上記ボビンはカップの球面部分を画定する球面の中心上にその周辺部を置いている。
【０００４】
カップの第１球面部分に対する解放部分を有するとして引用された種類のカップは、様々な理由で使用される。最大角度に達するときのボールとカップとの接触面積を低減することが望ましい。この理由は、上記接触面積が両者の間の摩擦を発生する傾向にあるためであり、解放部分がこれを緩和する。さらに、カップの柔軟性は、解放部分を設けて、焼付けを防止することを必要とする。
【発明の開示】
【発明が解決しようとする課題】
【０００５】
実験から、解放部分の量および形状は要件に従って変化することを見出した。
【０００６】
別の考慮すべき点は、ベアリング面のボールの嵌合が、大きいボールヘッドに比べて小さいボールヘッドが優れていることである。これはまた、接合部の潤滑の量に依存し、したがって解放部分の量を適正に調整する必要がある。
【０００７】
カップまたはライナの剛性の大きさはそれの変形量に影響を与える。
【課題を解決するための手段】
【０００８】
本発明によれば、部分球面ベアリングヘッドにおいて使用する人工フレキシブルベアリング要素カップまたはカップベアリングライナが、主荷重軸上に位置する半球面の中心の周りに実質的に部分球面である第１部分と、少なくともその一部が第１部分に対して解放され、かつ上記解放された部分全体にわたり半球面中心から半径方向の間隔（ｄ）を有する第２部分とを有する、ベアリング内側面を含み、上記間隔（ｄ）が、半球面中心周りの回転角度（θ）がカップのリムに向かって増加するに伴い内側端から外側端に向かって増加しており、部分球面ベアリングヘッドの外側面の形状を表す線からの第２部分の表面の解放部分の間隔は、間隔が上記主荷重軸上および任意の所与の半径方向間隔（ｄ）におけるベアリング内側面の上記第１部分に接するベアリング面上に位置するとき、以下の式で決定される。
【数１】
2007144129.tif 000003
式中、
ｄは、間隔がベアリング内側面の上記第１部分上に位置し、その中心が上記半球面中心上に位置するときの、部分球面ベアリングヘッドの外側面の上記形状を表す線と、第２部分の解放部分との間の半径方向間隔（ｍｍ）であり、
θは、半球面の中心周りの角度（°）であり、
ａおよびｂは、第２部分の上記内側端におけるまたはそれに向かう方向の角度（θ１）および間隔（ｄ１）を選択し、それらを上記式に代入し、さらに、リムに近接する第２部分の外側側端におけるまたはそれに向かう方向の角度（θ２）および間隔（ｄ２）を選択し、それらを上記式に代入して、２つの式を合わせて解くことにより求められる値である。
【０００９】
したがって、第２部分の長さまわりに変化する角度について、一連の間隔（ｄ）を計算でき、この間隔（ｄ）が所定位置にあるときの上記ベアリングヘッドを表す線に関する解放部分の形状を定義する。
【００１０】
式中のａおよびｂの値を使用することにより、解放部分の湾曲の所望の形状を得ることができ、ａおよびｂは半球面の中心周りの角度（度）に依存し、様々な要件に対して使用するのに適するということが見出された。特定要件に対する特定形状は実験により見出すことができる。
【００１１】
ａおよびｂの値の好ましい良好な値は以下の表に示すとおりである。
ａ                ｂ
８．２            １．００１
１．２５          １．００５
０．４３          １．０１
０．３０５        １．０１２
０．１９          １．０１５
０．０９２        １．０２
０．０４６        １．０２５
０．０２４        １．０３
０．０１２５      １．０３５
０．００６８      １．０４
０．０００３５    １．０４５
０．００１９      １．０５
０．０００５４    １．０６
０．０００１５    １．０７
０．０００００４  １．１
【００１２】
これら数値により定義された形状を有する曲線は、要件に最も適合することを見出した。
【００１３】
好ましくは、第２部分は主荷重軸から第２部分のリムに近接する端部にまで延びる。
【００１４】
望ましい場合には、第１部分と第２部分の解放部分との間にベアリング内側面の移行部分を設けることができる。したがって、第２部分の端部は主荷重軸に達するまで第１部分に重なり、上記移行部分を提供する。
【００１５】
ベアリング内側面は、例えば金属、合成プラスチック材料、合成材料とファイバの合成物、またはセラミック材料から作製される一体形状カップに形成できる。
【００１６】
別の構造では、ベアリング内側面は裏材で保持されたベアリングライナ上に形成でき、このライナは金属、合成プラスチック材料、合成材料とファイバの合成物、またはセラミック材料から作製でき、また裏材は、例えば、金属、合成プラスチック材料、または合成材料とファイバの合成物から作製できる。
【００１７】
本発明による別の構造では、ベアリングライナは第２ライナ内に配置でき、この第２ライナに対して上記ベアリングライナが回転できる。第２ライナは裏材に固定されるかまたは自由に動くように配置され、２重可動性カップを実現する。この第２ベアリングライナも、金属、合成プラスチック材料、合成材料とファイバの合成物、またはセラミック材料から作製できる。
【００１８】
好ましくは、カップまたはライナの半径方向厚みは、解放部分全体にわたって、部分球面の部分全体にわたる厚みより薄い。これは柔軟性を決定するのに役立つ。
【００１９】
カップまたはライナの構造およびそれを作製できる材料は、本出願者による欧州特許ＥＰ第０５５２９４９号およびＥＰ第０６９８３８２号、欧州特許出願ＥＰ第０１３０９１３５．０号（１２０８８１９）およびＥＰ第０１３０９３４０．６号（１２０５１６０）、英国特許出願ＵＫ第０４２２６６６．８号およびＵＫ第０５０７８８４．５号に記載されているとおりであってもよい。
【００２０】
したがって、カップはＰＥＥＫと炭素繊維または任意の別の適切な材料の合成物から作製できる。
【００２１】
本発明はさらに、部分球面ベアリングヘッドと組み合わせた人工フレキシブルベアリング要素カップまたはカップベアリングライナを含み、このようなヘッドは任意の従来の材料、例えば金属、合成プラスチック材料、合成材料とファイバの合成物またはセラミック材料、または金属とセラミックの合成物から作製できる。
【００２２】
ヘッドは、例えばステム形状の固定要素を有する剛体であってもよく、あるいは、そのようなステムに着脱可能に取り付けられてもよい。
【００２３】
本発明は様々な方法で実行でき、いくつかの実施形態は例を用いて、および添付図面を参照して以下に記載される。
【発明を実施するための最良の形態】
【００２４】
図１に示されるとおり、本発明が適用されるカップは参照符合１で示され、大腿骨ボールヘッド２において使用される。カップ１はフレキシブルタイプであり、欧州特許ＥＰ第０５５２９４９号およびＥＰ第０６９８３８２号、欧州特許出願ＥＰ第０１３０９１３５．０号（１２０８８１９）およびＥＰ第０１３０９３４０．６号（１２０５１６０）、英国特許出願ＵＫ第０４２２６６６．８号に記載されるとおりの形状であってもよい。
【００２５】
欧州特許出願ＥＰ第０１３０９１３５．０号（１２０８８１９）に示される種類のフィン３を使用できる。カップ１は、半球面の中心６の周りに実質的に部分球面であり、かつ、主荷重軸８に沿った極ベアリング面積７が存在する第１部分５を有するベアリング内側面４を有する。図の構造では、部分球面ベアリング面５は主荷重軸８の両側に約５０°突き出ている。
【００２６】
ベアリング内側面４の第２部分は、参照符号１０で示されており、主荷重軸８からリム１１まで延び、約５０°の第１部分５に重なる。第２部分１０のこの点部分から、第１部分５に対して解放され、半球面の中心６周りの回転角度θが主荷重軸８からカップ１のリム１１の方向に大きくなるに伴い増加する、半球面の中心６からの半径方向間隔を有する。
【００２７】
第１内側面部分５と第２内側面部分１０との間に、重なりにより生じる短い移行部分１２が存在する。移行部分１２に近接する第２内側面部分の解放部分の内側端部は参照符号１３で示され、リム１１に近接する外側端部は参照符号１４で示される。
【００２８】
図１に示されるとおり、部分球面ベアリングヘッド２の外側面の形状を表す線からの第２部分１０の表面の半径方向間隔は、間隔が主荷重軸８上および上記半球面の中心６上に位置するとき、参照符号ｄで示される。
【００２９】
間隔ｄは主荷重軸８からの任意の所与の角度θにおける解放部分の大きさと形状を決定する。
【００３０】
本発明によれば、間隔ｄは以下の式で決定される。
【数２】
2007144129.tif 000004
式中、
ｄは、間隔がベアリング内側面の上記第１部分上に位置し、その中心が上記半球面中心上に位置するときの、部分球面ベアリングヘッドの外側面の上記形状を表す線と、第２部分との間の半径方向間隔（ｍｍ）であり、
θは、半球面の中心周りの角度（°）である。
【００３１】
特定角度θにおける間隔ｄを選択するためには、従来のカップのベアリング原理を理解する必要があり、図２、３および４に参照図が示されている（これら図では、同一参照符号は図１に示される類似部分を表すのに用いられている）。
【００３２】
従来の大腿骨ボールヘッド２が、カップ内でのヘッドの運動を可能にするように図２の参照符号１５で示される従来のカップ内に配置される場合、ヘッド２の直径１６はカップ１５の内径１７より小さくなければならない。これは、ヘッド表面およびカップ表面が完全でない理由から必要となる。この結果として、一般に半径方向隙間ｒとして定義される隙間１８が生じる。
ｒは、半径方向隙間＝カップの半径−ヘッドの半径
【００３３】
半径方向隙間の値はヘッドおよびカップに使用される材料に依存する。この隙間は通常、硬質のベアリング接合部（金属カップ中への金属ヘッドまたはセラミックカップ中へのセラミック）については約５０μｍ〜１００μｍ、軟質のベアリング接合部（ポリエチレンカップ中への金属またはセラミックヘッド）については約１５０μｍ〜３００μｍである。セラミックヘッドに接して連接するカップに複合金属が使用される場合、半径方向隙間は１５０μｍ〜３００μｍであってもよい。
【００３４】
荷重が加えられ、ヘッドおよびカップの両方が変形しない材料で作製されている場合、ヘッドは主荷重軸８に沿って移動し、図３に示されるようにカップの内側面に接触するようになる。これが発生すると、参照符号２０で示されるように、カップ１５の内側面との１ヶ所だけの点接触が生じる。参照符号１８で示される、ヘッドとカップとの間の間隔ｄは、図１に示されるとおり、主荷重軸８からの角度θが大きくなると共に増加する。
【００３５】
ヘッドおよびカップが、カップは弾性材料（一般にポリエチレン）、ヘッドは鋼材で作製されていると考えられる場合、変形は主としてより軟質の材料に生じる。同一荷重条件下では、材料が軟質であるほど変形は大きくなる。図４はカップの変形を示し、破線２１は変形前のカップの形状を示す。この場合、ヘッドとカップとの接触は半角がθ１であるセクタを形成する。
【００３６】
この角度θ１は実験または計算で決定でき、したがって、ベアリング材料の接合部においては、定義された荷重条件の下での接触セクタの角度は予測できる。フレキシブルカップでは、ベアリング部分は従来のカップと同様に作用する。したがって、ヘッドとカップとの間の接触セクタを予測し、より軟質の材料の変形の端部に対応する角度θ１を見出すことができる。図１に示される例においては、この角度は５０°である。次に、角度θ１における間隔ｄ１を決定する必要がある。これは、図３に示される変形しない条件に戻り、上記角度θ２における間隔ｄ２を測定することによりなされる。この間隔も容易に計算できる。図１に示される例においては、間隔は０．０９ｍｍである。これは、θ＝０°とθ＝５０°との間の曲線が、球面内部空洞を有する従来カップの曲線と類似であることを意味する。
【００３７】
図３に示されるとおり、第２の特定角度θ２が、カップが標準位置に置かれるときの、カップの端部において取られる。この角度においては、間隔ｄ２はリムに近接するカップの端部の間に再び必要とされ、これによりカップがリーマ加工された母体の骨の予測される変形を収容し、また通常歩行サイクルにおける寛骨臼の自然変形を収容する。これら形状は、リーマ加工後の寛骨臼の幾何的解析および歩行中のひずみ解析により得られる。
【００３８】
図３に示される例においては、角度θ２における間隔ｄ２は１．２ｍｍである。このように、作用により発生する湾曲は定義されたこれら２つの特定点を通過する。
【００３９】
第１角度θ１が５０°および第２角度θ２が１３０°に取られ、第１角度に置ける間隔ｄ１が０．０９ｍｍおよび第２間隔ｄ２が１．２ｍｍに取られる場合、２つの式は以下のように書ける。
０．０９＝ａ（ｅ５０  Ｉｎ  ｂ−１）および１．２０＝ａ（ｅ１３０  Ｉｎ  ｂ−１）
【００４０】
２つの式から、ａおよびｂに対して以下の値を決定できる。
ａ≒０．０２６８９４２５  および  ｂ≒１．０２９８２３２
【００４１】
次に、解放部分の曲線の式が成立し、以下のように書ける。
【数３】
2007144129.tif 000005
間隔ｄ１は０．０５０ｍｍ〜０．５００ｍｍの間に、および間隔ｄ２は０．４００ｍｍ〜５，０００ｍｍの間にできる。
【００４２】
図５〜１９に示されるグラフは、主荷重軸８からの決定された角度θについて間隔ｄ（ｍｍ）を示す。
【００４３】
図５に示されるグラフでは、ａおよびｂの値が示され、破線２０は様々な角度θにおける間隔ｄを示す。図では、線はほぼ直線であり、解放部分は主荷重軸８から始まっていることが示されている。このタイプの解放部分、比較的剛性のフレキシブルカップにおける使用に適する。この構成においては、第１の部分球面部分５だけが、主荷重軸８の片側で約５０°の曲線全体にわたり延びる。
【００４４】
グラフを比較するために、ＷＯ  ０２／４３６２６号に記載された情報に従って作製された構造について様々な角度θにおける間隔ｄを示し、これは破線２１で示され、実線２２は欧州特許第０５５２９４９号に記載されたような解放部分の間隔を示す。
【００４５】
図６、７および８に示されるグラフは図５および図９に示されるグラフと比較した形状の変化を示し、式により求められた間隔寸法は主ベアリング軸８の領域内の解放部分の開始点を提供する。
【００４６】
図１０〜１３のグラフでは、主ベアリング角度から約５０°まではほとんど移動しない図１４のグラフまでは、間隔寸法は、角度が主ベアリング軸８から離れる方向に移動するに伴い小さくなる。したがって、移動が徐々になり、実際には、約５０°〜６０°の間の移行部分が存在する。
【００４７】
図１５〜１９のグラフでは、小さい量の移動だけが再び存在し、図１９のグラフからは、角度が約８０°になるまでは、ベアリング内側面の第１部分の部分球面から離れる方法にほとんど移動しない。
【００４８】
図１４〜１９のグラフに示される後者の曲線は、よりフレキシブルなカップにさらに適する。
【００４９】
本発明は、詳細には、発作または大きい磨耗の可能性を低減するために特定効果が要求されるカップを形成するように設計されている。
【００５０】
本発明はさらに、上述のような種類の人工カップを作製する方法を含む。
【００５１】
本発明における上述の関数を用いて得られる値には、大腿骨頭半径を加算して、カップの内側形状を形成する必要がある。これは、従来のＣＡＤ（コンピュータ支援設計）ソフトウェアを利用してなされる基本的変換、およびＣＮＣ（コンピュータ数値制御）旋盤をプログラムするために使用される一連の協働の点における関数の変換である。一般に、変換は理論的曲線と機械加工に使用される実際の曲線との間の近似値を許容する必要がある。１μｍの近似値は許容できる数の点を有する曲線の生成を可能にする。
【００５２】
本発明に記載される曲線に従う内側部分を含む寛骨臼カップの構造は、内側部分をカップの外側形状を基準に位置合わせすることを必要とする。この目的は人工ヘッドの回転の中心を回転の自然中心にできるだけ近付けて維持し、これにより、通常大腿骨頭の中心がカップの外側部分球面部分の中心に近付けることである。本発明に対してこのルールを適用することより、可変カップ壁厚みを有する人工寛骨臼を得る。本発明の構造においては、好ましくは、最も厚い壁はベアリング部分に置かれ、最も薄い壁はカップの開放部位近くに置かれる。この厚み分布により、変形を避ける必要がある部分を補強し、変形を見込む部分を柔軟にすることができる。
【図面の簡単な説明】
【００５３】
【図１】本発明によるフレキシブル寛骨臼カップのボールヘッドの概略断面図である。
【図２】従来のボールヘッドおよびカップ構造の概略断面図であり、本発明で用いる式において使用するため、値ａおよびｂを決定する方法を説明するのに用いる図である。
【図３】従来のボールヘッドおよびカップ構造の概略断面図であり、本発明で用いる式において使用するため、値ａおよびｂを決定する方法を説明するのに用いる図である。
【図４】従来のボールヘッドおよびカップ構造の概略断面図であり、本発明で用いる式において使用するため、値ａおよびｂを決定する方法を説明するのに用いる図である。
【図５】様々な角度において値ａおよびｂを使用して、様々な形状の曲線状の解放部分を生成する効果を示す一連のグラフである。
【図６】様々な角度において値ａおよびｂを使用して、様々な形状の曲線状の解放部分を生成する効果を示す一連のグラフである。
【図７】様々な角度において値ａおよびｂを使用して、様々な形状の曲線状の解放部分を生成する効果を示す一連のグラフである。
【図８】様々な角度において値ａおよびｂを使用して、様々な形状の曲線状の解放部分を生成する効果を示す一連のグラフである。
【図９】様々な角度において値ａおよびｂを使用して、様々な形状の曲線状の解放部分を生成する効果を示す一連のグラフである。
【図１０】様々な角度において値ａおよびｂを使用して、様々な形状の曲線状の解放部分を生成する効果を示す一連のグラフである。
【図１１】様々な角度において値ａおよびｂを使用して、様々な形状の曲線状の解放部分を生成する効果を示す一連のグラフである。
【図１２】様々な角度において値ａおよびｂを使用して、様々な形状の曲線状の解放部分を生成する効果を示す一連のグラフである。
【図１３】様々な角度において値ａおよびｂを使用して、様々な形状の曲線状の解放部分を生成する効果を示す一連のグラフである。
【図１４】様々な角度において値ａおよびｂを使用して、様々な形状の曲線状の解放部分を生成する効果を示す一連のグラフである。
【図１５】様々な角度において値ａおよびｂを使用して、様々な形状の曲線状の解放部分を生成する効果を示す一連のグラフである。
【図１６】様々な角度において値ａおよびｂを使用して、様々な形状の曲線状の解放部分を生成する効果を示す一連のグラフである。
【図１７】様々な角度において値ａおよびｂを使用して、様々な形状の曲線状の解放部分を生成する効果を示す一連のグラフである。
【図１８】様々な角度において値ａおよびｂを使用して、様々な形状の曲線状の解放部分を生成する効果を示す一連のグラフである。
【図１９】様々な角度において値ａおよびｂを使用して、様々な形状の曲線状の解放部分を生成する効果を示す一連のグラフである。
【図１】
2007144129.tif 000008
【図２】
2007144129.tif 000009
【図３】
2007144129.tif 000010
【図４】
2007144129.tif 000011
【図５】
2007144129.tif 000012
【図６】
2007144129.tif 000013
【図７】
2007144129.tif 000014
【図８】
2007144129.tif 000015
【図９】
2007144129.tif 000016
【図１０】
2007144129.tif 000017
【図１１】
2007144129.tif 000018
【図１２】
2007144129.tif 000019
【図１３】
2007144129.tif 000020
【図１４】
2007144129.tif 000021
【図１５】
2007144129.tif 000022
【図１６】
2007144129.tif 000023
【図１７】
2007144129.tif 000024
【図１８】
2007144129.tif 000025
【図１９】
2007144129.tif 000026
【外国語明細書】
2007144129.tif 000027
2007144129.tif 000028
2007144129.tif 000029
2007144129.tif 000030
2007144129.tif 000031
2007144129.tif 000032
2007144129.tif 000033
2007144129.tif 000034
2007144129.tif 000035
2007144129.tif 000036
2007144129.tif 000037
2007144129.tif 000038
2007144129.tif 000039
2007144129.tif 000040
2007144129.tif 000041
2007144129.tif 000042
2007144129.tif 000043
2007144129.tif 000044
2007144129.tif 000045
2007144129.tif 000046
2007144129.tif 000047
2007144129.tif 000048
2007144129.tif 000049
2007144129.tif 000050
2007144129.tif 000051